【手続補正書】
【提出日】平成16年11月24日(2004.11.24)
【手続補正１】
【補正対象書類名】明細書
【補正対象項目名】特許請求の範囲
【補正方法】変更
【補正の内容】
【特許請求の範囲】
【請求項１】
発光色が異なる複数種類の光源を有する第１の光源部と、白色光を発する第２の光源部とを備えた発光装置であって、
複数の動作態様を持ち、該動作態様の切り替えに応じて、前記第１の光源部と前記第２の光源部との少なくとも一方の発光強度を制御することにより、３原色のうちの少なくとも１つの色純度を可変することを特徴とする発光装置。
【請求項２】
前記請求項１に記載の発光装置であって、
前記第１の光源部が、赤、緑及び青の３色の発光ダイオードを備えることを特徴とする発光装置。
【請求項３】
前記請求項１または２に記載の発光装置であって、
前記第２の光源部が、冷陰極管を備えることを特徴とする発光装置。
【請求項４】
前記請求項１または２に記載の発光装置であって、
前記第２の光源部が、発光ダイオードを備えることを特徴とする発光装置。
【請求項５】
少なくとも発光色が赤色である光源を有する第１の光源部と、白色光を発する第２の光源部とを備えた発光装置であって、
複数の動作態様を持ち、該動作態様の切り替えに応じて、前記第１の光源部と前記第２の光源部との少なくとも一方の発光強度を制御することで、３原色のうちの少なくとも１つの色純度を可変することを特徴とする発光装置。
【請求項６】
前記請求項５に記載の発光装置であって、
前記第１の光源部が、赤色の発光ダイオードを備えることを特徴とする発光装置。
【請求項７】
前記請求項５または６に記載の発光装置であって、
前記第２の光源部が、冷陰極管を備えることを特徴とする発光装置。
【請求項８】
前記請求項５または６に記載の発光装置であって、
前記第２の光源部が、発光ダイオードを備えることを特徴とする発光装置。
【請求項９】
前記請求項１乃至８のいずれかに記載の発光装置であって、
前記複数の動作態様として、少なくとも省エネモード、高色純度モードを有することを特徴とする発光装置。
【請求項１０】
前記請求項９に記載の発光装置であって、
前記省エネモードにおいては、主として前記第２の光源部を動作させることを特徴とする発光装置。
【請求項１１】
前記請求項９または１０に記載の発光装置であって、
前記高色純度モードにおいては、主として前記第１の光源部を動作させることを特徴とする発光装置。
【請求項１２】
前記請求項９乃至１１のいずれかに記載の発光装置であって、
前記複数の動作態様として、さらに高輝度モードを有することを特徴とする発光装置。
【請求項１３】
前記請求項１２に記載の発光装置であって、
前記高輝度モードにおいては、前記第１の光源部と前記第２の光源部とを同時に動作させることを特徴とする発光装置。
【請求項１４】
前記請求項１乃至１３のいずれかに記載の発光装置を用いた表示装置であって、
前記複数の動作態様のいずれかを選択するための手段を備えることを特徴とする表示装置。
【手続補正２】
【補正対象書類名】明細書
【補正対象項目名】０００７
【補正方法】変更
【補正の内容】
【０００７】
【特許文献１】実開昭６３−４３１７７号公報
【特許文献２】特開平１−１２６６２２号公報
【特許文献３】特開２００１−１３５１１８号公報
【手続補正３】
【補正対象書類名】明細書
【補正対象項目名】０００９
【補正方法】変更
【補正の内容】
【０００９】
【課題を解決するための手段】
上記の目的を達成するために、第１の技術手段は、発光色が異なる複数種類の光源を有する第１の光源部と、白色光を発する第２の光源部とを備えた発光装置であって、
複数の動作態様を持ち、該動作態様の切り替えに応じて、前記第１の光源部と前記第２の光源部との少なくとも一方の発光強度を制御することにより、３原色のうちの少なくとも１つの色純度を可変することを特徴とする。この動作態様の切り替えは、自動的に行っても、ユーザーの好みに応じてマニュアルで行ってもよい。
【手続補正４】
【補正対象書類名】明細書
【補正対象項目名】００１０
【補正方法】変更
【補正の内容】
【００１０】
第２の技術手段は、第１の技術手段において、前記第１の光源部が、赤、緑及び青の３色の発光ダイオードを備えることを特徴とする。
【手続補正５】
【補正対象書類名】明細書
【補正対象項目名】００１１
【補正方法】変更
【補正の内容】
【００１１】
第３の技術手段は、第１または第２の技術手段において、前記第２の光源部が、冷陰極管を備えることを特徴とする。
第４の技術手段は、第１または第２の技術手段において、前記第２の光源部が、発光ダイオードを備えることを特徴とする。
【手続補正６】
【補正対象書類名】明細書
【補正対象項目名】００１２
【補正方法】変更
【補正の内容】
【００１２】
また、上記の目的を達成するため、第５の技術手段は、少なくとも発光色が赤色である光源を有する第１の光源部と、白色光を発する第２の光源部とを備えた発光装置であって、複数の動作態様を持ち、該動作態様の切り替えに応じて、前記第１の光源部と前記第２の光源部との少なくとも一方の発光強度を制御することで、３原色のうちの少なくとも１つの色純度を可変することを特徴とする。
【手続補正７】
【補正対象書類名】明細書
【補正対象項目名】００１３
【補正方法】変更
【補正の内容】
【００１３】
第６の技術手段は、第５の技術手段において、前記第１の光源部が、赤色の発光ダイオードを備えることを特徴とする。
【手続補正８】
【補正対象書類名】明細書
【補正対象項目名】００１４
【補正方法】変更
【補正の内容】
【００１４】
第７の技術手段は、第５または第６の技術手段において、前記第２の光源部が、冷陰極管を備えることを特徴とする。
第８の技術手段は、第５または第６の技術手段において、前記第２の光源部が、発光ダイオードを備えることを特徴とする。
【手続補正９】
【補正対象書類名】明細書
【補正対象項目名】００１５
【補正方法】変更
【補正の内容】
【００１５】
第９の技術手段は、第１乃至第８のいずれか１の技術手段において、前記複数の動作態様として、少なくとも省エネモード、高色純度モードを有することを特徴とする。
【手続補正１０】
【補正対象書類名】明細書
【補正対象項目名】００１６
【補正方法】変更
【補正の内容】
【００１６】
第１０の技術手段は、第９の技術手段において、前記省エネモードにおいては、主として前記第２の光源部を動作させることを特徴とする。
【手続補正１１】
【補正対象書類名】明細書
【補正対象項目名】００１７
【補正方法】変更
【補正の内容】
【００１７】
第１１の技術手段は、第９または第１０の技術手段において、前記高色純度モードにおいては、主として前記第１の光源部を動作させることを特徴とする。
【手続補正１２】
【補正対象書類名】明細書
【補正対象項目名】００１８
【補正方法】変更
【補正の内容】
【００１８】
第１２の技術手段は、第９乃至第１１のいずれか１の技術手段において、前記複数の動作態様として、さらに高輝度モードを有することを特徴とする。
【手続補正１３】
【補正対象書類名】明細書
【補正対象項目名】００１９
【補正方法】変更
【補正の内容】
【００１９】
第１３の技術手段は、第１２の技術手段において、前記高輝度モードにおいては、前記第１の光源部と前記第２の光源部とを同時に動作させることを特徴とする。
【手続補正１４】
【補正対象書類名】明細書
【補正対象項目名】００２０
【補正方法】変更
【補正の内容】
【００２０】
第１４の技術手段は、第１乃至第１３のいずれかの技術手段を用いた表示装置であって、前記複数の動作態様のいずれかを選択するための手段を備えることを特徴とする。
この発明の他の特徴及び利点は、添付の図面を参照する以下の説明から明らかになるであろう。
【手続補正１５】
【補正対象書類名】明細書
【補正対象項目名】００２５
【補正方法】変更
【補正の内容】
【００２５】
なお、図１においては、理解を容易にするために各構成要素を個々に分離して示しているが、実際には、これらの構成要素を密着させることが望ましい。また、各構成要素の大小関係も実際とは異なる。色混合部材３は必ずしも必要ではなく、第１の光源ユニット２と第２の光源ユニット４の配置を工夫することによって省略することができる。例えば、光源ユニット同士の間隔を狭めたり、光源ユニットと導光板５の発光面との距離を離したりすることにより、色混合部材３は省略可能である。
【手続補正１６】
【補正対象書類名】明細書
【補正対象項目名】００４１
【補正方法】変更
【補正の内容】
【００４１】
（２）第２の光源ユニット４の白色光源として冷陰極管を用いたが、これに代えて、最近開発されている紫外線ＬＥＤを用いても、同様の効果を得ることができる。白色ＬＥＤを用いる場合と同様に、第１の光源ユニット２における３種類のＬＥＤの中に白色を発光するための紫外線ＬＥＤを適宜配置することにより、２つの光源ユニットを一体化することができ、色混合部材３を省略することができる。
【手続補正１７】
【補正対象書類名】明細書
【補正対象項目名】００５６
【補正方法】変更
【補正の内容】
【００５６】
【発明の効果】
以上のように、本発明は、少なくとも２つの異なる動作モードを持ち、該動作モードの切り替えに応じて、発光色が異なる複数種類の光源を有する第１の光源部と、白色光源を有する前記第２の光源部との少なくとも一方の発光強度を制御することにより、３原色のうちの少なくとも１つの色純度を可変することが可能であるため、好みの色や輝度を調整することができる。